(57)【特許請求の範囲】
【請求項１】
メイン回路の一方の端子を有する第１のコネクタハウジングと、メイン回路の他方の端子及び信号回路の一方の端子を有する第２のコネクタハウジングと、信号回路の他方の端子を有すると共に、カム機構を介して前記両コネクタハウジングに連結され、両コネクタハウジングを着脱する着脱操作位置とメイン回路の断続を行うメイン回路操作位置と信号回路の断続を行う信号回路操作位置との間で回動操作され、前記カム機構のカムスラスト力によって両コネクタハウジングを近接または離間させる回動レバーとを備え、
メイン回路は、回動レバーが、着脱操作位置にあるときは接続が遮断され、メイン回路操作位置にあるときは接続され、
信号回路は、回動レバーが、着脱操作位置及びメイン回路操作位置にあるときは接続が遮断され、信号回路操作位置にあるときは接続される電源回路遮断装置であって、
回動レバーを信号回路操作位置にロックする第１ロック機構と、回動レバーをメイン回路操作位置にロックする第２ロック機構とを設けると共に、
回動レバーが信号回路操作位置にあるときにだけ第１ロック機構がロックされ、回動レバーがメイン回路操作位置にあるときにだけ第２ロック機構がロックされるようにしたことによって、第１ロック機構のロックを解除しないと第２ロック機構のロックを解除することができないように構成し、
第１ロック機構と第２ロック機構は、それぞれ第２のコネクタハウジングと回動レバーとの間に設けられた互いに係脱可能な係止部と被係止部とからなると共に、
第１ロック機構と第２ロック機構において、係止部と被係止部のいずれか一方が可撓片上に設けられており、各可撓片を撓める操作によって各ロック機構のロックが解除され、
第１ロック機構と第２ロック機構の可撓片は、それぞれのロックを解除する際、互いに異なった方向に操作されることを特徴とする電源回路遮断装置。
【請求項２】
請求項１に記載された電源回路遮断装置であって、
第１ロック機構と第２ロック機構の可撓片に、信号回路操作位置とメイン回路操作位置に回動操作される回動レバーと接触し各可撓片を撓ませて各ロック機構をロックさせるテーパー面が形成されていることを特徴とする電源回路遮断装置。
【請求項３】
請求項１又は請求項２に記載された電源回路遮断装置であって、
第２ロック機構の可撓片が第２コネクタハウジングに形成されている場合は回動レバーに、また、第２ロック機構の可撓片が回動レバーに形成されている場合は第２コネクタハウジングに、回動レバーが信号回路操作位置にあるときの前記可撓片の撓みを防止する撓み防止片がそれぞれ設けられていることを特徴とする電源回路遮断装置。
【発明の詳細な説明】
【技術分野】
【０００１】
本発明は、メイン回路と信号回路を有する電源回路の接続操作と遮断操作を行う電源回路遮断装置に関する。
【背景技術】
【０００２】
例えば、電気自動車やハイブリッド車両では、大電力を扱う電気系統のメンテナンスを行う際には、安全性を保つために、電源側と負荷側とを電源回路遮断装置によって遮断する必要がある。この電源回路遮断装置にはメイン回路と信号回路が設けられており、電源を遮断するに際しては、信号回路とメイン回路の順に回路が遮断される場合は、メイン回路が遮断される際に生じるスパークから信号回路を保護する必要がある。
【０００３】
特許文献１に、このような目的に用いられる電源回路遮断装置２０１が記載されている。
【０００４】
図１３〜図１５に示すように、電源回路遮断装置２０１は、第１及び第２のコネクタハウジング２０３，２０５と、回動操作されるレバー２０７などから構成されている。メイン回路の一方の端子は第１コネクタハウジング２０３側に設けられ、メイン回路の他方の端子は第２コネクタハウジング２０５側に設けられており、信号回路の一方の端子はレバー２０７のコネクタ部２０９に設けられ、信号回路の他方の端子はコネクタハウジング２０３の外部フード部２１１に設けられている。
【０００５】
コネクタハウジング２０５には一対の支持軸２１３，２１３が、また、コネクタハウジング２０３には一対のカムピン２１５，２１５がそれぞれ設けられており、レバー２０７は直線状の支持軸受け溝２１７，２１７で支持軸２１３，２１３に係合し、曲線状のカム溝２１９，２１９と直線状のカムピン受け溝２２１，２２１とでカムピン２１５，２１５に係合している。レバー２０７を、図１３の状態から図１４の状態まで回動操作すると、カムピン２１５とカム溝２１９の間で生じるカムスラスト力により、コネクタハウジング２０５がコネクタハウジング２０３に差し込まれてメイン回路の各端子が接続される。さらに、レバー２０７を、図１４の状態から図１５の状態まで矢印２２３のように右方へ押圧操作すると、支持軸２１３とカムピン２１５が支持軸受け溝２１７とカムピン受け溝２２１の中をそれぞれスライドし、図１５のように、コネクタ部２０９と外部フード部２１１の間で信号回路の各端子が接続され、電源回路遮断装置２０１の接続が完了する。
【０００６】
また、図１５から図１３の順で、レバー２０７を左方に引き出して信号回路の接続を遮断し、さらに、レバー２０７を上方に回動させればメイン回路の接続が遮断されて電源回路遮断装置２０１の遮断が完了すると共に、信号回路が遮断された後メイン回路が遮断されるまでの間、レバー２０７の回動作業分のタイムラグが与えられ、遮断に伴う信号回路の残留電荷がその間に消失するから、メイン回路の遮断に伴うスパークの影響から信号回路が保護される。
【先行技術文献】
【特許文献】
【０００７】
【特許文献１】特開２００３−１００３８２号公報
【発明の概要】
【発明が解決しようとする課題】
【０００８】
しかし、電源回路遮断装置２０１は、上記のように、レバー２０７をスライドさせることによって信号回路の遮断とメイン回路の遮断との間にタイムラグを与えているから、レバー２０７のスライド幅（図１４のＳ）だけ余分な作業スペースが必要である上に、金型もこれに応じて構造が複雑になり、コスト高になる。
【０００９】
そこで、この発明は、信号回路の遮断とメイン回路の遮断との間に必要なタイムラグを設けることができると共に、スライド機能が不要であって低コストに構成された電源回路遮断装置の提供を目的としている。
【課題を解決するための手段】
【００１０】
請求項１の電源回路遮断装置は、メイン回路の一方の端子を有する第１のコネクタハウジングと、メイン回路の他方の端子及び信号回路の一方の端子を有する第２のコネクタハウジングと、信号回路の他方の端子を有すると共に、カム機構を介して前記両コネクタハウジングに連結され、両コネクタハウジングを着脱する着脱操作位置とメイン回路の断続を行うメイン回路操作位置と信号回路の断続を行う信号回路操作位置との間で回動操作され、前記カム機構のカムスラスト力によって両コネクタハウジングを近接または離間させる回動レバーとを備え、メイン回路は、回動レバーが、着脱操作位置にあるときは接続が遮断され、メイン回路操作位置にあるときは接続され、信号回路は、回動レバーが、着脱操作位置及びメイン回路操作位置にあるときは接続が遮断され、信号回路操作位置にあるときは接続される電源回路遮断装置であって、回動レバーを信号回路操作位置にロックする第１ロック機構と、回動レバーをメイン回路操作位置にロックする第２ロック機構とを設けると共に、回動レバーが信号回路操作位置にあるときにだけ第１ロック機構がロックされ、回動レバーがメイン回路操作位置にあるときにだけ第２ロック機構がロックされるようにしたことによって、第１ロック機構のロックを解除しないと第２ロック機構のロックを解除することができないように構成し、第１ロック機構と第２ロック機構は、それぞれ第２のコネクタハウジングと回動レバーとの間に設けられた互いに係脱可能な係止部と被係止部とからなると共に、第１ロック機構と第２ロック機構において、係止部と被係止部のいずれか一方が可撓片上に設けられており、各可撓片を撓める操作によって各ロック機構のロックが解除され、第１ロック機構と第２ロック機構の可撓片は、それぞれのロックを解除する際、互いに異なった方向に操作されることを特徴とする。
【００１３】
請求項２の電源回路遮断装置は、請求項１に記載された発明であって、第１ロック機構と第２ロック機構の可撓片に、信号回路操作位置とメイン回路操作位置に回動操作される回動レバーと接触し各可撓片を撓ませて各ロック機構をロックさせるテーパー面が形成されていることを特徴とする。
【００１４】
請求項３の電源回路遮断装置は、請求項１又は請求項２に記載された発明であって、第２ロック機構の可撓片が第２コネクタハウジングに形成されている場合は回動レバーに、また、第２ロック機構の可撓片が回動レバーに形成されている場合は第２コネクタハウジングに、回動レバーが信号回路操作位置にあるときの前記可撓片の撓みを防止する撓み防止片がそれぞれ設けられていることを特徴とする。
【発明の効果】
【００１５】
請求項１の電源回路遮断装置は、回動レバーを信号回路操作位置にロックする第１ロック機構と回動レバーをメイン回路操作位置にロックする第２ロック機構を、回動レバーがそれぞれのロック位置にあるときにだけ作動するようにし、第１ロック機構がロックされている間は第２ロック機構のロックを解除できないように構成したので、回動レバーを信号回路操作位置からメイン回路操作位置まで回動させる時間と第２ロック機構のロックを解除する時間だけ、信号回路の遮断とメイン回路の遮断との間にタイムラグを設けることができるから、メイン回路遮断に伴うスパークの影響から信号回路が保護される。
【００１６】
また、従来例と異なって、タイムラグを設けるためのスライド機能が不要であるから、金型も構造が簡単になり、それだけ低コストに構成することができる。
【００１８】
また、第１ロック機構と第２ロック機構を構成する係止部と被係止部のいずれか一方を可撓片上に設けたことにより、可撓片を撓めるだけで各ロック機構のロックを容易に解除することができる。
【００１９】
また、各ロック機構の係止部と被係止部は、第２コネクタハウジングと回動レバーのいずれに設けてもよいから、設計上の自由度が高い。
【００２１】
また、第１ロック機構と第２ロック機構は、各可撓片の操作方向を互いに異なった方向に設定してあるから、操作ミスが防止される。
【００２２】
請求項２の電源回路遮断装置は、請求項１の構成と同等の効果が得られる。
【００２３】
また、第１ロック機構と第２ロック機構の可撓片に回動レバーと接触して各可撓片を撓ませるテーパー面を設けたから、回動レバーを信号回路操作位置とメイン回路操作位置まで回動操作するだけで各ロック機構を容易にロックさせることができる。
【００２４】
請求項３の電源回路遮断装置は、請求項１又は請求項２の構成と同等の効果が得られる。
【００２５】
また、第２ロック機構の可撓片が第２コネクタハウジングに形成されている場合は回動レバーに、また、第２ロック機構の可撓片が回動レバーに形成されている場合は第２コネクタハウジングに、回動レバーが信号回路操作位置にあるときの可撓片の撓みを防止する撓み防止片を設けたから、第１ロック機構のロックを解除する前に、あるいは、第１ロック機構のロックを解除する際に、第２ロック機構を不用意に解除してしまう誤操作を防止することができる。
【図面の簡単な説明】
【００２６】
【図１】回動レバー９が信号回路操作位置にある状態の第１実施例（電源回路遮断装置１）を示す斜視図である。
【図２】図１の電源回路遮断装置１の断面図である。
【図３】回動レバーがメイン回路操作位置にある状態の電源回路遮断装置１を示す斜視図である。
【図４】図３の電源回路遮断装置１の断面図である。
【図５】電源回路遮断装置１において、回動レバー９が信号回路操作位置及びメイン回路操作位置にあるときの第１ロック機構２７と第２ロック機構２９の状態を示す模式図である。
【図６】回動レバー９が信号回路操作位置にある状態の第２実施例（電源回路遮断装置１０１）を示す上面図である。
【図７】電源回路遮断装置１０１において、回動レバー９が信号回路操作位置及びメイン回路操作位置にあるときの第１ロック機構１０３と第２ロック機構１０５の状態を示す模式図である。
【図８】回動レバー９が信号回路操作位置にある状態の第３実施例（電源回路遮断装置１５１）を示す上面図である。
【図９】回動レバー９が信号回路操作位置にある状態の電源回路遮断装置１５１において、第１ロック機構１５３と第２ロック機構１５５の部分を切り欠いて示す斜視図である。
【図１０】回動レバー９が信号回路操作位置にある状態の電源回路遮断装置１５１において、第１ロック機構１５３を示す模式図である。
【図１１】回動レバー９が信号回路操作位置にある状態の電源回路遮断装置１５１において、第２ロック機構１５５と撓み防止片１７３を示す模式図である。
【図１２】回動レバー９がメイン回路操作位置にある状態の電源回路遮断装置１５１において、第２ロック機構１５５を示す模式図である。
【図１３】従来の電源回路遮断装置２０１において、メイン回路と信号回路の接続がいずれも遮断されている状態を示す図面である。
【図１４】従来の電源回路遮断装置２０１において、メイン回路だけが接続されている状態を示す図面である。
【図１５】従来の電源回路遮断装置２０１において、メイン回路と信号回路の両方が接続されている状態を示す図面である。
【発明を実施するための形態】
【００２７】
〔第１実施例〕
図１〜図５によって電源回路遮断装置１（第１実施例）の説明をする。
【００２８】
［電源回路遮断装置１の構成］
電源回路遮断装置１は、第１及び第２のコネクタハウジング３，５と、カム機構７を介してコネクタハウジング３，５に連結された回動レバー９などから構成されている。第１コネクタハウジング３はメイン回路の一方の端子１１，１１を収容し、第２コネクタハウジング５はメイン回路の他方の端子１３，１３及び信号回路の一方の端子１５，１５を収容しており、信号回路の他方の端子１７，１７は回動レバー９に収容されている。また、第２コネクタハウジング５にはヒューズ１９が収容されており、端子１３，１３はヒューズ１９に接続されている。
【００２９】
また、カム機構７は、第２コネクタハウジング５に形成された支持軸２１，２１に回動レバー９を回動自在に連結すると共に、第１コネクタハウジング３に設けられたカムピン２３，２３に回動レバー９の曲線状のカム溝２５，２５を挿通して構成されており、回動レバー９を、コネクタハウジング３，５を着脱する着脱操作位置とメイン回路を断続するメイン回路操作位置（図３と図４の位置）と信号回路を断続する信号回路操作位置（図１と図２の位置）との間で回動操作すると、カム機構７のカムスラスト力によってコネクタハウジング３，５が近接し、また、離間する。
【００３０】
このとき、メイン回路の端子１１，１３（ＳＷ１）は、回動レバー９が、着脱操作位置にあるときは接続が遮断され、メイン回路操作位置にあるときは接続される。また、信号回路の端子１５，１７（ＳＷ２）は、回動レバー９が、着脱操作位置及びメイン回路操作位置にあるときは接続が遮断され、信号回路操作位置にあるときは接続される。
【００３１】
回動レバー９と第２コネクタハウジング５との間には、回動レバー９を信号回路操作位置にロックする第１ロック機構２７と、回動レバー９をメイン回路操作位置にロックする第２ロック機構２９が設けられており、図５のように、第１ロック機構２７は回動レバー９が信号回路操作位置にあるときだけロックし、第２ロック機構２９は回動レバー９がメイン回路操作位置にあるときだけロックする。
【００３２】
図５のように、第１ロック機構２７と第２ロック機構２９は、第２コネクタハウジング５側の係止部３１，３３と、回動レバー９に形成された被係止部３５とからなり、係止部３１，３３は第２コネクタハウジング５に設けられた可撓片３７，３９の先端部に形成され、可撓片３７，３９を互いの反対方向に撓めることによって各ロック機構２７，２９のロックが解除される。
【００３３】
また、第１ロック機構２７と第２ロック機構２９の係止部３１，３３には、回動操作された回動レバー９（被係止部３５）と接触し可撓片３７，３９を撓ませて被係止部３５と係止部３１，３３とを係止させ各ロック機構２７，２９をロックするテーパー面４１，４３が形成されている。
【００３４】
電源回路遮断装置１は電源部と負荷部との間に配置され、メイン回路の端子１１，１３で構成されるＳＷ１と、信号回路の端子１５，１７で構成されるＳＷ２とが直列に接続されており、メイン回路と信号回路の両方が接続されているときだけ電源回路はＯＮ状態でる。例えば、回動レバー９がメイン回路操作位置にあるときのように、メイン回路が接続されていても、信号回路が遮断されていれば電源回路はＯＦＦである。
【００３５】
電源回路をＯＮにするには、回動レバー９を着脱操作位置に回動した状態でコネクタハウジング３，５を互いに位置合わせした後、回動レバー９をメイン回路操作位置（図３と図４の位置）まで回動させると、カム機構７のカムスラスト力によってコネクタハウジング３，５が嵌合し、メイン回路の端子１１，１３（ＳＷ１）がＯＮになる。また、このとき、回動レバー９（被係止部３５）が係止部３３のテーパー面４３と接触し、可撓片３９が撓んで係止部３３が被係止部３５と係止し、ロック機構２９がロックされる。
【００３６】
さらに、回動レバー９を信号回路操作位置（図１と図２の位置）まで回動させると、信号回路の端子１５，１７（ＳＷ２）がＯＮになって電源回路がＯＮになると共に、ＯＮになった信号回路を介してメイン回路のＯＮ情報が通知される。また、このとき、回動レバー９（被係止部３５）が係止部３１のテーパー面４１と接触し、可撓片３７が撓んで係止部３１が被係止部３５と係止し、ロック機構２７がロックされる。
【００３７】
このように、第１ロック機構２７は回動レバー９が信号回路操作位置にあるときだけロックし、第２ロック機構２９は回動レバー９がメイン回路操作位置にあるときだけロックする。
【００３８】
また、電源回路をＯＦＦにするには、信号回路操作位置に回動レバー９をロックしている第１ロック機構２７の可撓片３７を図５の矢印４５の方向に撓め、被係止部３５と係止部３１との係止を外してロック機構２７のロックを解除した後、矢印４７のように、回動レバー９を引き上げれば信号回路端子１５，１７（ＳＷ２）がＯＦＦになり、さらに、回動レバー９をメイン回路操作位置まで引き上げれば、被係止部３５が第２ロック機構２９の係止部３３に係止して第２ロック機構２９がロックされる。
【００３９】
さらに、第２ロック機構２９の可撓片３９を矢印４９の方向に撓め、被係止部３５と係止部３３との係止を外してロック機構２９のロックを解除した後、回動レバー９をメイン回路操作位置からさらに回動させれば、メイン回路端子１１，１３（ＳＷ１）がＯＦＦになって電源回路ＯＦＦになり、さらに、回動レバー９を着脱操作位置まで回動させれば、カム機構７のカムスラスト力によってコネクタハウジング３，５の嵌合が解除される。
【００４０】
上記のように、第１ロック機構２７のロックを解除しないと第２ロック機構２９のロックを解除することが不可能であると共に、回動レバー９を信号回路操作位置からメイン回路操作位置まで回動させる時間と第２ロック機構２９のロックを解除する時間だけのタイムラグが信号回路の遮断とメイン回路の遮断との間に設定される。
【００４１】
［電源回路遮断装置１の効果］
電源回路遮断装置１は、回動レバー９がそれぞれのロック位置（信号回路操作位置とメイン回路操作位置）にあるときにだけ第１ロック機構２７と第２ロック機構２９のロック解除操作が可能になるようにし、第１ロック機構２７のロックを解除しないと第２ロック機構２９のロックを解除できないように構成したので、回動レバー９を信号回路操作位置からメイン回路操作位置まで回動させる時間と第２ロック機構のロックを解除する時間だけ、上記のように、信号回路の遮断とメイン回路の遮断との間にタイムラグが得られるから、メイン回路の遮断に伴うスパークの影響から信号回路が保護される。
【００４２】
また、タイムラグを設けるためのスライド機能が不要であるから、金型も構造が簡単になり、それだけ低コストに構成することができる。
【００４３】
また、第１ロック機構２７と第２ロック機構２９の係止部３１，３３を可撓片３７，３９上に設けたことにより、可撓片３７，３９を撓めるだけで各ロック機構２７，２９のロックを容易に解除できる。
【００４４】
なお、各ロック機構２７，２９の係止部３１，３３と被係止部３５は、第２コネクタハウジング２と回動レバー９のいずれに設けてもよいから、設計上の自由度が高い。
【００４５】
また、第１ロック機構２７と第２ロック機構２９は、各可撓片３７，３９の操作方向を互いの反対方向に設定してあるから、誤操作が防止される。
【００４６】
また、第１ロック機構２７と第２ロック機構２９の可撓片３７，３９（係止部３１，３３）にテーパー面４１，４３を設けたので、回動レバー９を信号回路操作位置とメイン回路操作位置まで回動操作するだけで各ロック機構２７，２９を容易にロックさせることができる。
【第２実施例】
【００４７】
図６と図７によって電源回路遮断装置１０１（第２実施例）の説明をする。
【００４８】
電源回路遮断装置１０１では、回動レバー９を信号回路操作位置にロックする第１ロック機構１０３とメイン回路操作位置にロックする第２ロック機構１０５は、図７のように、第２コネクタハウジング５側の係止部１０７，１０９と、回動レバー９に形成された被係止部１１１，１１３とからなり、係止部１０７，１０９は第２コネクタハウジング５に設けられた可撓片１１５，１１７に形成され、可撓片１１５，１１７を互いの反対方向に撓めることによって各ロック機構１０３，１０５のロックが解除される。なお、第２ロック機構１０５は第１ロック機構１０３の両側に一対設けられている。
【００４９】
また、第１ロック機構１０３と第２ロック機構１０５の係止部１０７，１０９には、回動操作された回動レバー９（被係止部１１１，１１３）と接触し可撓片１１５，１１７を撓ませて被係止部１１１，１１３と係止部１０７，１０９とを係止させ各ロック機構１０３，１０５をロックするテーパー面１１９，１２１が形成されている。
【００５０】
電源回路をＯＮにする際は、回動レバー９をメイン回路操作位置まで回動させると、メイン回路の端子１１，１３（ＳＷ１）がＯＮになると共に、回動レバー９（被係止部１１３）が係止部１０９のテーパー面１２１と接触し、可撓片１１７が撓んで係止部１０９が被係止部１１３と係止してロック機構１０５がロックされ、さらに、回動レバー９を信号回路操作位置まで回動させると、信号回路の端子１５，１７（ＳＷ２）がＯＮになると共に、回動レバー９（被係止部１１１）が係止部１０７のテーパー面１１９と接触し、可撓片１１５が撓んで係止部１０７が被係止部１１１と係止してロック機構１０３がロックされる。
【００５１】
このように、第１ロック機構１０３は回動レバー９が信号回路操作位置にあるときだけロックし、第２ロック機構１０５は回動レバー９がメイン回路操作位置にあるときだけロックする。
【００５２】
また、電源回路をＯＦＦにする際は、第１ロック機構１０３の可撓片１１５を図７の矢印１２３の方向に撓め、被係止部１１１と係止部１０７の係止を外してロック機構１０３のロックを解除した後、矢印１２５のように、回動レバー９を引き上げれば信号回路端子１５，１７（ＳＷ２）がＯＦＦになり、さらに、回動レバー９をメイン回路操作位置まで引き上げれば、被係止部１１３が第２ロック機構１０５の係止部１０９に係止して第２ロック機構１０５がロックされる。
【００５３】
さらに、第２ロック機構１０５の可撓片１１７を矢印１２７の方向に撓め、被係止部１１３と係止部１０９の係止を外してロック機構１０３のロックを解除した後、回動レバー９をメイン回路操作位置からさらに回動させればメイン回路端子１１，１３（ＳＷ１）がＯＦＦになる。
【００５４】
［電源回路遮断装置１０１の効果］
電源回路遮断装置１０１は、第１ロック機構１０３と第２ロック機構１０５のロックを解除する際の可撓片１１５，１１７の操作方向をそれぞれ電源回路遮断装置１と反対方向になるように構成したものであり、電源回路遮断装置１と同等の効果が得られる。
【第３実施例】
【００５５】
図８〜図１２によって電源回路遮断装置１５１（第３実施例）の説明をする。
【００５６】
電源回路遮断装置１５１では、回動レバー９を信号回路操作位置にロックする第１ロック機構１５３と、メイン回路操作位置にロックする第２ロック機構１５５の内、第１ロック機構１５３は、第２コネクタハウジング５に形成された係止部１５７と、回動レバー９に形成された被係止部１５９とからなり、第２ロック機構１５５は、回動レバー９に形成された係止部１６１と、第２コネクタハウジング５に形成された被係止部１６３（図１２）とから構成されている。第１ロック機構１５３の係止部１５７は第２コネクタハウジング５に設けられた可撓片１６５に形成され、第２ロック機構１５５の係止部１６１は回動レバー９に設けられた可撓片１６７に形成され、可撓片１６５，１６７を互いの反対方向に撓めることによって各ロック機構１５３，１５５のロックが解除される。
【００５７】
また、第１ロック機構１５３と第２ロック機構１５５の係止部１５７，１６１には、回動レバー９が回動操作されたとき、回動レバー９の被係止部１５９と第２コネクタハウジング５の被係止部１６３とそれぞれ接触し、可撓片１６５，１６７を撓ませて被係止部１５９，１６３と係止部１５７，１６１とを係止させ各ロック機構１５３，１５５をロックするテーパー面１６９，１７１が形成されている。
【００５８】
また、第２コネクタハウジング５には、撓み防止片１７３が設けられており、回動レバー９が信号回路操作位置にあるときは、第２ロック機構１５５の可撓片１６７を第２ロック機構１５５のロック解除方向に撓ませることができないようにされている。
【００５９】
電源回路をＯＮにする際は、回動レバー９をメイン回路操作位置まで回動させると、メイン回路の端子１１，１３（ＳＷ１）がＯＮになると共に、回動レバー９（被係止部１６１）のテーパー面１７１が第２コネクタハウジング５の被係止部１６３と接触し、可撓片１６７が撓んで係止部１６１が被係止部１６３と係止してロック機構１５５がロックされ、さらに、回動レバー９を信号回路操作位置まで回動させると、信号回路の端子１５，１７（ＳＷ２）がＯＮになると共に、回動レバー９の被係止部１５９が第２コネクタハウジング５の係止部１５７のテーパー面１６９と接触し、可撓片１６５が撓んで係止部１５７が被係止部１５９と係止してロック機構１５３がロックされる。
【００６０】
このように、第１ロック機構１５３は回動レバー９が信号回路操作位置にあるときだけロックし、第２ロック機構１５５は回動レバー９がメイン回路操作位置にあるときだけロックする。
【００６１】
また、電源回路をＯＦＦにする際は、第１ロック機構１５３の可撓片１６５を図１０の矢印１７５の方向に撓め、被係止部１５９と係止部１５７の係止を外してロック機構１５３のロックを解除した後、回動レバー９を引き上げれば信号回路端子１５，１７（ＳＷ２）がＯＦＦになり、さらに、回動レバー９をメイン回路操作位置まで引き上げれば、係止部１６１がコネクタハウジング５の被係止部１６３に係止して第２ロック機構１５５がロックされる。
【００６２】
さらに、第２ロック機構１５５の可撓片１６７を、図１２の矢印１７７の方向に撓め、被係止部１６３と係止部１６１の係止を外してロック機構１５５のロックを解除した後、回動レバー９をメイン回路操作位置から回動させればメイン回路端子１１，１３（ＳＷ１）がＯＦＦになる。
【００６３】
［電源回路遮断装置１５１の効果］
電源回路遮断装置１５１は、電源回路遮断装置１と同等の効果が得られる。
【００６４】
また、第２ロック機構１５５の可撓片１６７を回動レバー９側に設けたので、可撓片を第２コネクタハウジング側に設けた場合と異なって、可撓片１６７が回動レバー９と一体にメイン回路操作位置まで回動するから、第２ロック機構１５５のロック解除の際に指先が可撓片１６７に届き易くなり、解除操作がそれだけ容易になる。
【００６５】
また、第２コネクタハウジング５に撓み防止片１７３を設けたので、回動レバー９が信号回路操作位置にあるときに、可撓片１６７を第２ロック機構１５５のロック解除方向に撓ませることができないから、第１ロック機構１５３のロックを解除する前に、あるいは、第１ロック機構１５３のロックを解除する際に、第２ロック機構１５５を不用意に解除してしまう誤操作を防止することができる。
【産業上の利用可能性】
【００６６】
本発明は、電気自動車以外にも、一般的なメイン回路と信号回路を有する電源回路の接続操作と遮断操作を行う電源回路遮断装置に用いることもできる。
【符号の説明】
【００６７】
１  電源回路遮断装置
３  第１のコネクタハウジング
５  第２のコネクタハウジング
７  カム機構
９  回動レバー
１１，１３  メイン回路の端子
１５，１７  信号回路の端子
２７  第１ロック機構
２９  第２ロック機構
３１，３３  係止部
３５  被係止部
３７，３９  可撓片
４１，４３  テーパー面
１０１  電源回路遮断装置
１０３  第１ロック機構
１０５  第２ロック機構
１０７，１０９  係止部
１１１，１１３  被係止部
１１５，１１７  可撓片
１１９，１２１  テーパー面
１５１  電源回路遮断装置
１５３  第１ロック機構
１５５  第２ロック機構
１５７，１６１  係止部
１５９，１６３  被係止部
１６５，１６７  可撓片
１６９，１７１  テーパー面
【図１】
0005711985.tif 000002
【図２】
0005711985.tif 000003
【図３】
0005711985.tif 000004
【図４】
0005711985.tif 000005
【図５】
0005711985.tif 000006
【図６】
0005711985.tif 000007
【図７】
0005711985.tif 000008
【図８】
0005711985.tif 000009
【図９】
0005711985.tif 000010
【図１０】
0005711985.tif 000011
【図１１】
0005711985.tif 000012
【図１２】
0005711985.tif 000013
【図１３】
0005711985.tif 000014
【図１４】
0005711985.tif 000015
【図１５】
0005711985.tif 000016